(57)【要約】【課題】  ロフト角が比較的大きいアイアンクラブとロフト角が比較的小さいアイアンクラブとのそれぞれにおいて最適な打球音が得られるアイアンクラブセットを提供する。【解決手段】  フェース部３ａに開口部８を備えたヘッド本体ｈと該開口部８に接合されたフェースプレート９とを有する複合アイアンヘッド２を備えたアイアンクラブセットである。フェースプレート９の裏面９ａには、その周縁部においてヘッド本体ｈと当接する当接部４と、ヘッド本体ｈと当接しない非当接部５とが設けられている。非当接部５の面積をＳ１とし、当接部４及び非当接部５の合計面積をＳ２とするとき、ロフト角が４２度未満の各アイアンクラブにおける比（Ｓ１／Ｓ２）の値の最小値は、ロフト角が４２度以上の各アイアンクラブにおける比（Ｓ１／Ｓ２）の値の最大値よりも大きい。【選択図】      図１
2005261459.tif 000002
【特許請求の範囲】
【請求項１】
フェース部に開口部を備えたヘッド本体と該開口部に接合されたフェースプレートとを有する複合アイアンヘッドが装着された複合アイアンクラブを複数本含むとともに、ロフト角が４２度以上の前記複合アイアンクラブとロフト角が４２度未満の前記複合アイアンクラブとを有するアイアンクラブセットであって、
前記フェースプレートの裏面には、その周縁部において前記ヘッド本体と当接する当接部と、この当接部の内側部分であって前記ヘッド本体と当接しない非当接部とが設けられており、
前記非当接部の面積をＳ１とし、前記当接部及び前記非当接部の合計面積をＳ２とするとき、ロフト角が４２度未満の前記各複合アイアンクラブにおける比（Ｓ１／Ｓ２）の値の最小値は、ロフト角が４２度以上の前記各複合アイアンクラブにおける比（Ｓ１／Ｓ２）の値の最大値よりも大きいことを特徴とするアイアンクラブセット。
【請求項２】
フェース部に開口部を備えたヘッド本体と該開口部に接合されたフェースプレートとを有する複合アイアンヘッドが装着された複合アイアンクラブを複数本含むとともに、ロフト角が４２度以上の前記複合アイアンクラブとロフト角が４２度未満の前記複合アイアンクラブとを有するアイアンクラブセットであって、
前記フェースプレートの裏面には、その周縁部において前記ヘッド本体と当接する当接部と、この当接部の内側部分であって前記ヘッド本体と当接しない非当接部とが設けられており、
前記非当接部の面積をＳ１とし、前記当接部及び前記非当接部の合計面積をＳ２とし、、比（Ｓ１／Ｓ２）の値をロフト角が小さい番手から順にＨ（１）、Ｈ（２）、・・・、Ｈ（ｎ）（ｎは３以上の整数）とするとき、下記式（Ａ）〜（Ｂ）を満たすことを特徴とするアイアンクラブセット。
Ｈ（１）≧Ｈ（２）≧・・・≧Ｈ（ｎ）  ・・・・（Ａ）
Ｈ（１）＞Ｈ（ｎ）                    ・・・・（Ｂ）
【請求項３】
前記の比（Ｓ１／Ｓ２）は、ロフト角が４２度未満の複合アイアンクラブでは０．６以上０．９以下であり、ロフト角が４２度以上の複合アイアンクラブでは０．４以上０．７以下であることを特徴とする請求項１又は２に記載のアイアンクラブセット。
【発明の詳細な説明】
【技術分野】
【０００１】
本発明は、ヘッド本体のフェース部にフェースプレートが装着されたアイアンクラブを複数本含むアイアンクラブセットに関するものである。
【背景技術】
【０００２】
アイアンゴルフクラブ（アイアンクラブ）に求められる主な性能としては、方向安定性、低重心化、高反発化などが挙げられる。これらの高性能化に有利なアイアンゴルフクラブヘッド（アイアンヘッド）の構造として、フェース部に開口部を備えたヘッド本体と、該開口部に接合されたフェースプレートとを有する構造が提案されている。かかる構造においては、ヘッド本体に開口部を有するから、フェース部材の中央部付近はヘッド本体に支持されていない状態となっている。したがって、フェースプレートは打球時に撓みやすい状態とされており、反発性能を高めることが出来る。この場合更に、高強度の材料を用いてフェースプレートを薄肉化することにより打球時におけるフェースの撓みをより大きくして、反発性能を更に高めることも出来る。また、フェースプレートを薄肉化したり、フェースプレートの比重をヘッド本体よりも小さくしたりしてフェース部分を軽量化し、その分の重量をヘッドの周縁部又はソール部に配分することにより、慣性モーメントの増加や低重心化を図ることが出来る。
【０００３】
フェース部を含んでヘッド全体が単一の素材（例えば軟鉄やステンレス等）であって、且つ中実構造のアイアンヘッドの場合、打球音は小さく且つそのピーク周波数が比較的低いために、プレーヤーにとって耳につくような打球音は発生せず、該打球音が問題となることはほとんど無かった。しかし、上述したヘッド構造では、フェース部材をヘッド本体とが別体であり、更に、ヘッド本体の開口部においてフェース部材はヘッド本体によって支持されていないから、打球時におけるフェース部材の振動が比較的大きくなり、比較的音圧の大きな打球音が生じやすくなっていた。しかも、このアイアンヘッドの打球音は、ピーク周波数が４０００Ｈｚ〜８０００Ｈｚ程度と打球音としては比較的高音となることが多く、且つ人間にとって比較的良く聞こえやすい（耳につきやすい）周波数帯域の音である。したがって、この打球音の音圧が大きくなると、該打球音がゴルファーに与える影響も大きい。
そこで、アイアンヘッドの打球音に関し、アイアンヘッドのバック側壁のうちヘッド高さの１／２より上方に開口を設けて打球音を改善したとするアイアンヘッドが提案されている（特許文献１参照。）。
【特許文献１】特開平１１−２３９９９５号公報（図１〜図３）
【発明の開示】
【発明が解決しようとする課題】
【０００４】
上述した構造を有するアイアンヘッドの打球音について更に検討を加えた結果、アイアンクラブセットにおける各番手毎の事情を考慮することにより、該打球音は更に改良できることが分かった。
即ち、アイアンクラブセットを構成する各アイアンクラブ（各番手）間で打球音が与える影響が異なるため、これを考慮することにより打球音に優れたアイアンクラブセットとすることが可能であることが今回判明した。
アイアンクラブセットにおいて、ロフト角が大きいクラブほど、アプローチショットや微妙な状況下でのショットが多く、微妙なフィーリングが特に重要視される傾向にある。そして、ロフト角が大きいクラブほど、目標（ピン）までの距離が短い状況で使用されるが、ピンまでの距離が短くなればなるほどスコアへの影響が大きく、精神的な集中が必要とされる。この傾向はロフト角が４２度以上のアイアンクラブにおいて特に顕著となる。そして、ロフト角の大きいアイアンクラブが使用される場面においては、上述したような比較的周波数の高い打球音は微妙なフィーリングを攪乱したり、精神的な集中を乱したりしやすく、ゴルファーに不快と感じられる傾向が強いことが分かった。
これに対して、ロフト角が小さいアイアンクラブほど、微妙なフィーリングよりも飛距離等が重視される傾向にある。この傾向は、ロフト角が４２度未満のアイアンクラブにおいて特に顕著となる。そのため、ロフト角の小さいアイアンクラブほど、上述したような比較的周波数の高い打球音は、ヘッドの反発係数が大きく飛距離が増大するような印象をゴルファーに与えて快く感じられる傾向が強いことが分かった。
上記従来技術では、アイアンセット内における各番手毎の事情は何ら考慮していないが、今回、アイアンセット内において、特にロフト角が比較的大きいアイアンクラブとロフト角が比較的小さいアイアンクラブとのそれぞれにおける事情を考慮して打球音を最適化することにより、打球音の極めて優れたアイアンクラブセットとなることが判明した。
【０００５】
本発明は、かかる状況に鑑みてなされたものであり、ロフト角が比較的大きいアイアンクラブとロフト角が比較的小さいアイアンクラブとのそれぞれにおいて最適な打球音が得られるアイアンクラブセットを提供することを目的としている。
【課題を解決するための手段】
【０００６】
本発明における第一発明のアイアンクラブセットは、フェース部に開口部を備えたヘッド本体と該開口部に接合されたフェースプレートとを有する複合アイアンヘッドが装着された複合アイアンクラブを複数本含むとともに、ロフト角が４２度以上の前記複合アイアンクラブとロフト角が４２度未満の前記複合アイアンクラブとを有するアイアンクラブセットであって、前記フェースプレートの裏面には、その周縁部において前記ヘッド本体と当接する当接部と、この当接部の内側部分であって前記ヘッド本体と当接しない非当接部とが設けられており、前記非当接部の面積をＳ１とし、前記当接部及び前記非当接部の合計面積をＳ２とするとき、ロフト角が４２度未満の前記各複合アイアンクラブにおける比（Ｓ１／Ｓ２）の値の最小値は、ロフト角が４２度以上の前記各複合アイアンクラブにおける比（Ｓ１／Ｓ２）の値の最大値よりも大きいことを特徴とする。
【０００７】
この場合、打球音が問題となりやすい上記構造の複合アイアンクラブを複数本備えたアイアンクラブセットにおいて、ロフト角が４２度以上の複合アイアンクラブの全クラブは、同４２度未満の複合アイアンクラブの全クラブよりも比（Ｓ１／Ｓ２）が小さくされているので、セット内の各番手において打球音が最適化される。即ち、ロフト角が４２度以上のクラブにおいては、比（Ｓ１／Ｓ２）が比較的小さくされているため、これらロフト角の多いクラブでの打球において不快と感じる打球音の音圧レベルを最小限に抑えることができる。そして、ロフト角が４２度未満のクラブにおいては、比（Ｓ１／Ｓ２）が比較的大きくされているため、打球音の音圧レベルが比較的大きくなり、打球の飛距離が大きいという印象をゴルファーに与えることができる。
【０００８】
本発明における第二発明のアイアンクラブセットは、フェース部に開口部を備えたヘッド本体と該開口部に接合されたフェースプレートとを有する複合アイアンヘッドが装着された複合アイアンクラブを複数本含むとともに、ロフト角が４２度以上の前記複合アイアンクラブとロフト角が４２度未満の前記複合アイアンクラブとを有するアイアンクラブセットであって、前記フェースプレートの裏面には、その周縁部において前記ヘッド本体と当接する当接部と、この当接部の内側部分であって前記ヘッド本体と当接しない非当接部とが設けられており、前記非当接部の面積をＳ１とし、前記当接部及び前記非当接部の合計面積をＳ２とし、比（Ｓ１／Ｓ２）の値をロフト角が小さい番手から順にＨ（１）、Ｈ（２）、・・・、Ｈ（ｎ）（ｎは３以上の整数）とするとき、下記式（Ａ）〜（Ｂ）を満たすことを特徴とするものである。
Ｈ（１）≧Ｈ（２）≧・・・≧Ｈ（ｎ）  ・・・・（Ａ）
Ｈ（１）＞Ｈ（ｎ）                    ・・・・（Ｂ）
このようにすると、セット内における任意の番手間において、ロフト角が比較的小さいアイアンクラブの比（Ｓ１／Ｓ２）が、ロフト角の比較的大きいアイアンクラブの比（Ｓ１／Ｓ２）よりも小さくなることがなく、且つ、ロフト角の最も小さい番手の比（Ｓ１／Ｓ２）が、ロフト角の最も大きい番手の比（Ｓ１／Ｓ２）よりも大きくなる。よって、ロフト角が比較的小さいアイアンクラブ（大きな打球音が好まれる傾向にある）の打球音が、同大きいアイアンクラブ（打球音を抑制するのが好まれる傾向にある）の打球音よりも大きくなりやすくなり、各番手に適した打球音が得られやすくなる。
【０００９】
前記の比（Ｓ１／Ｓ２）は、ロフト角が４２度未満の複合アイアンクラブでは０．６以上０．９以下であり、ロフト角が４２度以上の複合アイアンクラブでは０．４以上０．７以下であるのが好ましい。
比（Ｓ１／Ｓ２）をこのような数値範囲とすることで、比（Ｓ１／Ｓ２）の値が最適化される。
【発明の効果】
【００１０】
本発明によれば、各番手における比（Ｓ１／Ｓ２）を適切に設定したので、比較的大きいアイアンクラブとロフト角が比較的小さいアイアンクラブとのそれぞれにおいて最適な打球音が得られるアイアンクラブセットとすることができる。
【発明を実施するための最良の形態】
【００１１】
以下に、本発明の実施形態につき図面を参照しつつ説明する。
図１は、本発明の一実施形態であるアイアンクラブセット２０を構成するアイアンクラブに装着されたアイアンクラブヘッド（以下、アイアンヘッドともいう）１の分解斜視図であり、図２は、このアイアンヘッド１をフェース面側から見た正面図であり、図３は図２のＡ−Ａ線における断面図である。
図１に示すように、アイアンヘッド１は２つの部材が接合されてなる。即ち、アイアンヘッド１は、フェース部３ａに開口部８を備えたヘッド本体ｈと、この開口部８に接合されたフェース部材としてのフェースプレート９とが接合されることにより形成された複合アイアンヘッド２とされている。ヘッド本体ｈは、開口部８の他、シャフト（図示しない）を挿入接着するためのシャフト穴１０を備えたホーゼル１１を有している（図２参照）。ヘッド本体ｈは、例えばロストワックス精密鋳造等の鋳造や鍛造等により作製することができ、フェースプレート９は、例えば板材を所定形状に打ち抜いた後にプレスして作製することができる。また、開口部８の内周面やフェースプレート９の輪郭にＮＣ加工を施して、両者の寸法や形状を精度よく調整することにより、接合強度が高まると共に良好な外観が得られる。なお、フェースプレート９の前面９ａには通常フェースラインが設けられるが、図１〜図３においてはフェースラインの記載を省略している。
【００１２】
開口部８は、ヘッド本体ｈを貫通しており、この開口部８を塞ぐようにフェースプレート９が装着されている。より詳細には、図３に示すように、開口部８は、フェースプレート９の輪郭形状と略同じ形状を有する前方内周面１２と、フェースプレート９の裏面９ａと当接してフェースプレート９を裏面側から支持する支持面１３とを有している。支持面１３はフェースプレート９の周縁部のみにおいてフェースプレート９と当接している。そして、前記前方内周面１２の内部にフェースプレート９が嵌め込まれている。また、図３の断面図に示すように、フェースプレート９の前面９ａと、その周囲に配置されたヘッド本体ｈの前面ｈ１とは面一とされてこれら両者でフェース面３を構成するとともに、フェース面３の大部分はフェースプレート９の前面９ａにより構成されている。
一方、フェースプレート９の裏面９ｂは、ヘッド本体ｈの支持面１３と当接する当接部４と、この当接部４の内側部分であってヘッド本体ｈと当接しない非当接部５とからなる。
【００１３】
また、ヘッド本体ｈは、ヘッド下部においてフェース面３側からバック側に延びてソール面１５を形成するソール部１６と、このソール部１６のバック側縁からトップ方向（上方）に延びるバック部１７を有している。バック部１７を設けることにより、複合アイアンヘッド２におけるバック側且つソール側の重量配分が増加するから、複合アイアンヘッド２の重心深度の増大、慣性モーメントの増加、又は低重心化に寄与しうる。
【００１４】
なお、フェースプレート９とヘッド本体ｈとの接合方法としては、例えばフェースプレート９をヘッド本体ｈに対して圧入したり、ヘッド本体ｈ又はフェースプレート９に係止用の突起を設けておき該突起を塑性変形させることで両者を係合させたり、あるいは接着剤を用いたりする各手法や、あるいはこれらを組み合わせた手法などが適宜採用できる。また、本実施形態では、フェースプレート９の全体が略一定の肉厚とされているが、例えばその中央部を比較的厚肉（即ち周辺部を比較的薄肉）として強度と反発性を両立させる等、適宜肉厚を変化させた肉厚分布を有するフェースプレート９としてもよいことはいうまでもない。
【００１５】
上述したように、フェースプレート９の裏面９ｂには、その周縁部においてヘッド本体ｈの支持面１３と当接する当接部４（図４において破線ハッチングで示す）と、この当接部４の内側部分であってヘッド本体ｈと当接しない非当接部５（図２において実線ハッチングで示す）を有している。本発明では、非当接部５の面積Ｓ１と、当接部４と非当接部５との合計面積Ｓ２との比（Ｓ１／Ｓ２）を考慮している。面積Ｓ２は、非当接部５の面積Ｓ１と当接部４の面積Ｓ３との合計である。即ち、Ｓ２＝Ｓ１＋Ｓ３である。
なお、図２は、複合アイアンヘッド２をそのフェース面３側から見たものであり、当接部４及び非当接部５は視認されないが、これら当接部４及び非当接部５の各領域を分かりやすく記載するため、同図２では当接部４及び非当接部５の領域を透視的に表示している。
【００１６】
本実施形態のアイアンクラブセット２０は、上述した複合アイアンヘッド２を備えた複合アイアンクラブｋを複数本備えている。ここでは、図４に示すように６本の複合アイアンクラブｋからなるアイアンクラブセット２０を例示するが、本発明のアイアンクラブセットはこれに限られず、複数本（２本以上）の複合アイアンクラブｋが含まれているアイアンクラブセットであればよく、例えば上述した複合アイアンクラブｋ以外のアイアンクラブ（例えばヘッドが単一素材からなるアイアンクラブ、フェースプレート９は有しているが非当接部５を有さずフェースプレート９の裏面全面がヘッド本体ｈにより支持されているアイアンクラブ、あるいは、比（Ｓ１／Ｓ２）が本発明の範囲外のアイアンクラブ等）が含まれたアイアンクラブセットであってもよい。なお、図４では、各複合アイアンクラブｋのうち複合アイアンヘッド２及びシャフトｓの先端部分のみを記載している。
【００１７】
図４に示すように、アイアンクラブセット２０は、ロフト角が小さい番手から順に複合アイアンクラブｋ１、ｋ２，ｋ３、ｋ４、ｋ５、ｋ６からなる６本の複合アイアンクラブｋよりなる。セット２０内で最もロフト角の小さい複合アイアンクラブｋが複合アイアンクラブｋ１であり、同じく最もロフト角が大きい複合アイアンクラブｋが複合アイアンクラブｋ６である。つまり、各複合アイアンクラブｋ１、ｋ２、・・・、ｋ６のそれぞれのロフト角（リアルロフト角）α１、α２、・・・、α６は、α１＜α２＜α３＜α４＜α５＜α６の関係にある。
なお、リアルロフト角とは、ヘッドを所定のライ角通りに水平面上に載置した状態において、フェース面の法線を含み前記水平面に垂直な面に投影した投影像におけるシャフト軸線とフェース面とのなす角度である。この場合、フェース面が曲面である場合は、スイートスポットにおけるフェース面の接面をフェース面とみなすことが出来る。
【００１８】
そして、各複合アイアンクラブｋ１、ｋ２、・・・、ｋ６のうち、ロフト角が４２度未満であるのが複合アイアンクラブｋ１、ｋ２、ｋ３、ｋ４であり、ロフト角が４２度以上であるのが複合アイアンクラブｋ５、ｋ６である。即ち、前述したロフト角α１、α２、・・・、α６（いずれも単位を度とする）は、α１＜α２＜α３＜α４＜（４２度）≦α５＜α６の関係にある。
【００１９】
各複合アイアンクラブｋ１、ｋ２、・・・、ｋ６のそれぞれにおける比（Ｓ１／Ｓ２）の値をＨ（１）、Ｈ（２）、・・・、Ｈ（６）とし、ロフト角が４２度未満のクラブｋ１〜ｋ４のそれぞれにおける比（Ｓ１／Ｓ２）の値Ｈ（１）、Ｈ（２）、Ｈ（３）、Ｈ（４）のうちの最小値をＰ１とし、ロフト角が４２度以上のクラブｋ５、ｋ６のそれぞれにおける比（Ｓ１／Ｓ２）の値Ｈ（５）、Ｈ（６）のうちの最大値をＰ２としたとき、本実施形態のアイアンクラブセット２０は下記式（Ａ）〜（Ｃ）を満たしている。
Ｈ（１）≧Ｈ（２）≧・・・≧Ｈ（６）  ・・・・（Ａ）
Ｈ（１）＞Ｈ（６）                    ・・・・（Ｂ）
Ｐ１＞Ｐ２                            ・・・・（Ｃ）
さらに、ロフト角が４２度未満のクラブｋ１〜ｋ４のそれぞれにおける比（Ｓ１／Ｓ２）の値Ｈ（１）、Ｈ（２）、Ｈ（３）、Ｈ（４）は全て０．６以上０．９以下の範囲内とされ、且つ、ロフト角が４２度以上のクラブｋ５、ｋ６のそれぞれにおける比（Ｓ１／Ｓ２）の値Ｈ（５）、Ｈ（６）はいずれも０．４以上０．７以下の範囲内とされている。
【００２０】
以上のように構成されたアイアンクラブセット２０の作用効果について説明する。
フェース部に開口部を備えたヘッド本体と該開口部に接合されたフェースプレートとを有し、さらにフェースプレートの裏面においてヘッド本体と当接しない非当接部とが設けられているようなアイアンヘッドの場合、フェースプレートがヘッド本体とは別体であり、かつフェースプレートの一部がヘッド本体により支持されていないから、ヘッド全体が単一部材で一体成形されたヘッドや、フェースプレートの全体がヘッド本体により支持されているヘッドと比較して、打球時にフェースプレートが振動しやすい。したがって、打球時における打球音の音圧が比較的大きくなる。しかも、この打球音はそのピーク周波数が４０００Ｈｚ〜８０００Ｈｚ程度と打球音としては比較的高音であることが多く、人間にとって比較的良く聞こえやすい（耳につきやすい）周波数帯域の音である。したがって、この打球音の音圧が大きくなると、該打球音がゴルファーに与える影響も大きい。本実施形態のアイアンクラブセット２０では、各番手毎に適切な打球音とすべく、比（Ｓ１／Ｓ２）を設定している。
【００２１】
即ち、アイアンクラブセット２０では、上記した式（Ｃ）、即ちＰ１＞Ｐ２が成立しているから、ロフト角が４２度以上の複合アイアンクラブｋ５及びｋ６のいずれについても、同４２度未満の複合アイアンクラブｋ１〜ｋ４のどのクラブよりも比（Ｓ１／Ｓ２）が小さくされている。そうすると、ロフト角が４２度以上のクラブにおいては比（Ｓ１／Ｓ２）が比較的小さくなり、これらロフト角の多いクラブでの打球において不快と感じる打球音の音圧レベルが比較的小さくなる。そして、ロフト角が４２度未満のクラブにおいては比（Ｓ１／Ｓ２）が比較的大きくなり、打球音の音圧レベルが比較的大きくなって、打球の飛距離が大きいという印象をゴルファーに与えやすくなる。
【００２２】
また、次の式（Ａ）及び式（Ｂ）、
Ｈ（１）≧Ｈ（２）≧・・・≧Ｈ（ｎ）  ・・・・（Ａ）
Ｈ（１）＞Ｈ（ｎ）                    ・・・・（Ｂ）
がいずれも成立している。ただし、Ｈ（ｎ）は、上述した複合アイアンクラブセットのうち最もロフト角の大きいクラブの比（Ｓ１／Ｓ２）であり、上述のアイアンクラブセット２０ではＨ（６）が該当する。そしてＨ（１）は、同じく最もロフト角の小さいクラブの比（Ｓ１／Ｓ２）である。よって、式（Ａ）より、セット２０内における任意の２本のクラブを比較した場合に、ロフト角が比較的小さいアイアンクラブの比（Ｓ１／Ｓ２）がロフト角の比較的大きいアイアンクラブの比（Ｓ１／Ｓ２）よりも小さくなることがない。また、式（Ｂ）より、ロフト角の最も小さい番手の比（Ｓ１／Ｓ２）が、ロフト角の最も大きい番手の比（Ｓ１／Ｓ２）よりも大きくされている。よって、ロフト角が比較的小さいアイアンクラブ（大きな打球音が好まれる傾向にある）の打球音が、同大きいアイアンクラブ（打球音を抑制するのが好まれる傾向にある）の打球音よりも大きくなりやすくなり、各番手に適した打球音が得られやすくなる。
【００２３】
なお、上記したＨ（１）とＨ（ｎ）との比〔Ｈ（１）／Ｈ（ｎ）〕は、１．１以上が好ましく、１．２以上がより好ましく、１．３以上が更に好ましく、１．４以上が特に好ましい。比〔Ｈ（１）／Ｈ（ｎ）〕が小さすぎると、ロフト角が４２度未満のクラブで打球音の音圧レベルが小さくなりすぎたり、ロフト角が４２度以上のクラブで打球音の音圧レベルが大きくなりすぎたりする場合がある。またこの比〔Ｈ（１）／Ｈ（ｎ）〕は、２．０以下が好ましく、１．８以下がより好ましく、１．６以下が更に好ましい。比〔Ｈ（１）／Ｈ（ｎ）〕が大きすぎると、ロフト角が４２度未満のクラブにおいて非当接部５が広くなりすぎてフェース強度が不足したり、ロフト角が４２度以上のクラブにおいて当接部４が広くなりすぎて反発性能が過度に低下したりする場合がある。
【００２４】
そして、上記実施形態のように、ロフト角が４２度未満のクラブでは比（Ｓ１／Ｓ２）を０．６以上とするのが好ましく、０．６５以上とするのがより好ましく、０．７以上とするのが更に好ましい。この場合、比（Ｓ１／Ｓ２）が小さすぎると、非当接部５の面積Ｓ１が小さすぎて打球音の音圧レベルが小さくなりすぎたり、フェースプレート９の剛性が高くなりすぎてヘッドの反発性能が低下したりする場合がある。また、ロフト角が４２度未満のクラブでは比（Ｓ１／Ｓ２）を０．９以下とするのが好ましく、０．８以下とするのがより好ましい。この場合、比（Ｓ１／Ｓ２）が大きすぎると、ヘッドのフェース強度が不足する場合がある。更に比（Ｓ１／Ｓ２）が大きすぎる場合、当接部４の面積Ｓ３が小さくなる傾向となるから、ヘッド本体ｈの支持面１３の面積が小さくなりやすい。そうすると、開口部８の周囲に存在するヘッド本体部分（リング状の部分）の太さが細くなる傾向となる。この場合、ヘッド本体ｈの剛性や強度が不足する場合があり、特に複合アイアンヘッド２の製法としてヘッド本体ｈにフェースプレート９を圧入する手法を採用する際において、該圧入時の圧入応力によりヘッド本体ｈが変形しやすくなる。
【００２５】
一方、ロフト角が４２度以上のクラブでは、比（Ｓ１／Ｓ２）を０．７以下とするのが好ましく、０．６５以下とするのがより好ましく、０．６５未満とするのが更に好ましく、０．６以下とするのが特に好ましい。比（Ｓ１／Ｓ２）が大きすぎると、ロフト角が４２度以上のクラブでの打球時において特に不快と感じられやすい比較的周波数の高い打球音の音圧レベルが大きくなりすぎてしまう傾向となる。また、ロフト角が４２度以上のクラブでは、比（Ｓ１／Ｓ２）を０．４以上とするのが好ましく、０．４５以上とするのがより好ましく、０．５以上とするのが更に好ましい。比（Ｓ１／Ｓ２）が小さすぎると、ヘッドデザイン上、アイアンクラブセット内のバランス（ロフトが小さい番手から大きい番手までのデザインの流れのバランス）が悪くなってしまう場合がある。
【００２６】
また、アイアンクラブセット内の各番手におけるロフト角の範囲と、これら各ロフト角のクラブのそれぞれにおける上記面積Ｓ１及び面積Ｓ２の好ましい範囲の上限値及び下限値（単位はｃｍ２）をまとめたのが以下の表１である。
【表１】
2005261459.tif 000003
【００２７】
表１に示す上記面積Ｓ１及び面積Ｓ２が好ましい理由を説明する。
ロフト角が４２度未満のクラブでは、面積Ｓ１が小さすぎると、打球音の音圧レベルが小さくなりすぎたり、フェースプレート９の剛性が高くなりすぎてヘッドの反発性能が低下したりする場合がある。また、ロフト角が４２度未満のクラブで面積Ｓ１が大きすぎると、ヘッドのフェース強度が不足する場合がある。
一方、ロフト角が４２度以上のクラブでは、面積Ｓ１が大きすぎると、ロフト角が４２度以上のクラブでの打球時において特に不快と感じられる、比較的周波数の高い打球音の音圧レベルが大きくなりすぎてしまう傾向となる。また、ロフト角が４２度以上のクラブでは、面積Ｓ１が小さすぎると、ヘッドデザイン上、アイアンクラブセット内のバランス（ロフトが小さい番手から大きい番手までのデザインの流れのバランス）が悪くなってしまう場合がある。
そして、一般的なアイアンクラブセットにおける各アイアンヘッドのフェース面積、アイアンクラブセット内の形状バランス（形状のセット内での流れ）、そして、上述した比（Ｓ１／Ｓ２）の好ましい範囲を考慮すると、表１に記載の面積Ｓ２の範囲が好ましい。一般的なアイアンクラブセットでは、フェース面積はロフトが大きいクラブほど広くなる傾向にある。よって、表１の好ましい範囲の面積Ｓ１及びＳ２についても、ロフト角が４２度未満のクラブ群のなかではロフト角が大きいクラブほど面積Ｓ１及びＳ２が広くなる傾向となっている。
【００２８】
なお、フェースプレート９の肉厚分布については、上述したようにあらゆる分布を採用しうるが、フェースプレート９における非当接部５の肉厚（の絶対値）は、３．５ｍｍ以下が好ましく、３．０ｍｍ以下がより好ましい。非当接部５の肉厚が厚すぎると、フェースプレート９の振動が少なくなり、打球音の音圧レベルが小さくなって聞こえにくくなり、本発明を適用する意義が少なくなる場合がある。またフェースプレート９における非当接部５の肉厚が薄すぎるとフェース強度が低下することがあるので、１．０ｍｍ以上が好ましく、１．５ｍｍ以上が更に好ましく、２．０ｍｍ以上が特に好ましい。
【００２９】
本発明では、ヘッド本体ｈ及びフェースプレート９の材質は特に限定しないが、フェースプレート９としては強度が高く薄肉化が可能なチタン合金が好ましい。チタン合金としては、６Ａｌ−４Ｖチタン、１５Ｖ−３Ｃｒ−３Ａｌ−３Ｓｎチタン、１５Ｍｏ−５Ｚｒ−３Ａｌチタン、１３Ｖ−１１Ｃｒ−３Ａｌチタン、等が例示されるが、これらの中でも特に強度の高い１５Ｖ−３Ｃｒ−３Ａｌ−３Ｓｎチタン等のβ型チタン合金が好ましい。ヘッド本体ｈとしては、フェースプレート９よりも比重の高い材質がヘッドの慣性モーメント向上（重量周辺配分）の観点から好ましく、例えば鋳造が比較的容易であり且つ比較的安価であるＳＵＳ６３０等のステンレス合金が好ましい。
【００３０】
なお、本発明では、フェースプレート９の裏面９ｂの重心ｚを通る平面の中で非当接部５を最も短く横断する平面と当該非当接部５との交線ｋｓの長さＬ（図２参照）を２０ｍｍ以上とするのが好ましく、２５ｍｍ以上とするのがより好ましい。この長さＬが短いと、フェースプレート９の振動が抑制され、打球音の音圧レベルが小さくなりすぎて打球音が聞こえにくくなるため、本発明を適用する意義が減少することとなり、且つフェースプレート９の打球時における撓み量が少なくなって反発係数が低下する場合がある。またこの長さＬが長すぎると、フェース強度が不足する場合があるので、長さＬは４５ｍｍ以下が好ましく、４０ｍｍ以下がより好ましい。
そしてロフト角が４２度以上のアイアンクラブでは、上記長さＬを４０ｍｍ以下とするのが好ましく、３５ｍｍ以下とするのがより好ましい。ロフト角が４２度以上のアイアンクラブにおいて上記長さＬが長すぎると、打球音の音圧レベルが大きくなりすぎてプレーヤーのフィーリングに悪影響を与えたり、不快に感じられたりしやすいからである。
また、ロフト角が４２度未満のアイアンクラブでは、上記長さＬを２５ｍｍ以上とするのが好ましく、３０ｍｍ以上とするのがより好ましい。ロフト角が４２度未満のアイアンクラブにおいて上記長さＬが短すぎると、打球音の音圧レベルが小さくなりすぎて、飛距離が増大しているという印象を受けにくくなる場合がある。
【００３１】
ロフト角が４２度未満の各アイアンクラブにおける比（Ｓ１／Ｓ２）の値の最小値Ｐ１と、ロフト角が４２度以上の各アイアンクラブにおける比（Ｓ１／Ｓ２）の値の最大値Ｐ２との比（Ｐ１／Ｐ２）は、１．１以上が好ましく、１．２以上がより好ましい。比（Ｐ１／Ｐ２）が小さすぎると、ロフト角が４２度以上のクラブの非当接部５が大きくなって打球音が大きくなりすぎたり、ロフト角が４２度未満のクラブの非当接部５が小さくなって打球音が小さくなりすぎたりする場合があるからである。また比（Ｐ１／Ｐ２）は１．５以下が好ましく、１．４以下がより好ましい。比（Ｐ１／Ｐ２）が大きすぎると、ロフト角が４２度以上のクラブの当接部４が大きくなって反発性能が過度に低下したり、ロフト角が４２度未満のクラブの非当接部５が大きくなってフェース強度が過度に低下したりする場合があるからである。
【００３２】
本発明の効果を確認するため、実施例１，２及び比較例１，２の合計４種類のアイアンクラブセットを作製して評価した。
全ての実施例及び全ての比較例（以下、全ての例ともいう。）において、シャフト、グリップは共通のものを使用し、ヘッド重量やクラブ総重量も各番手毎に共通とした。さらに、全ての例において、フェースプレート９は、チタン合金（６Ａｌ−４Ｖチタン）の板材から所定の輪郭形状にて打ち抜いた後、ＮＣ加工機にて所定の肉厚分布に切削加工することにより作製した。また全ての例において、ヘッド本体ｈはＳＵＳ６３０ステンレスをロストワックス精密鋳造法により作製した。そして、ヘッド本体ｈとフェースプレート９とは、かしめ圧入と接着剤による接着とを併用して接合した。
また、全ての例は、＃３（３番アイアン）〜＃９（９番アイアン）、ＰＷ（ピッチングウエッジ）、ＡＷ（アプローチウエッジ）及びＳＷ（サンドウエッジ）の合計１０本からなるアイアンセットとした。各番手のロフト角は後述の表１〜４に示している。またクラブ長さも全ての例で共通とし、通常のアイアンクラブセットと同様の長さ体系とした。
各セットにおけるクラブ仕様及び評価結果を纏めたのが表２〜表５である。
【００３３】
【表２】
2005261459.tif 000004
【００３４】
【表３】
2005261459.tif 000005
【００３５】
【表４】
2005261459.tif 000006
【００３６】
【表５】
2005261459.tif 000007
【００３７】
なお、表２〜表５における「音圧レベル」とは、スイングロボットにて市販の３ピースゴルフボール（ＳＲＩスポーツ株式会社製の登録商標ＨＩ−ＢＲＩＤ  ｅｖｅｒｉｏ）をスイートスポットにて打撃させて打球音を測定し、ウェイブレット解析して音圧レベル（打撃音における最大値）を求めた。単位はｄＢ（ｄＢＳＰＬ）である。なお、音圧レベルを測定する際の打撃ヘッドスピードは次のように設定した。
＃３（３番アイアン）のヘッドスピード      ：  ３５．５ｍ／ｓ
＃４（４番アイアン）のヘッドスピード      ：  ３５．０ｍ／ｓ
＃５（５番アイアン）のヘッドスピード      ：  ３４．５ｍ／ｓ
＃６（６番アイアン）のヘッドスピード      ：  ３４．０ｍ／ｓ
＃７（７番アイアン）のヘッドスピード      ：  ３４．０ｍ／ｓ
＃８（８番アイアン）のヘッドスピード      ：  ３３．５０ｍ／ｓ
＃９（９番アイアン）のヘッドスピード      ：  ３３．５ｍ／ｓ
ＰＷ（ピッチングウエッジ）のヘッドスピード：  ３３．０ｍ／ｓ
ＡＷ（アプローチウエッジ）のヘッドスピード：  ３３．０ｍ／ｓ
ＳＷ（サンドウエッジ）のヘッドスピード    ：  ３３．０ｍ／ｓ
【００３８】
評価は、ハンディキャップが１０〜２０である１０名のゴルファーが実打することによって行った。ボールは、ＳＲＩスポーツ株式会社製の登録商標ＨＩ−ＢＲＩＤ  ｅｖｅｒｉｏを使用した。そして、１０名のゴルファーは、各クラブの番手に鑑みて、各クラブでの打球音を次の３段階で評価した。
評価Ａ：その番手の打球音としては大きすぎる。
評価Ｂ：その番手の打球音としては小さすぎる。
評価Ｃ：その番手の打球音として良好である。
表中では、各番手のクラブについて評価Ａをした人数を「評価Ａ人数」とし、同じく評価Ｂをした人数を「評価Ｂ人数」とした。したがって、各番手のクラブにおいて評価Ｃをした人数は、〔１０−（評価Ａ人数＋評価Ｂ人数）〕である。
表２〜５の結果より分かるように、実施例は、比較例よりも〔（評価Ａ人数）＋（評価Ｂ人数）〕の総和が少なく、良好な結果が得られた。
【図面の簡単な説明】
【００３９】
【図１】本発明の一実施形態であるアイアンクラブセットを構成するアイアンクラブに装着されたアイアンヘッドの分解斜視図である。
【図２】図１のアイアンヘッドをフェース側から見た正面図である。
【図３】図２のＡ−Ａ線における断面図である。
【図４】本発明の一実施形態であるアイアンクラブセットをヘッドのトウ側から見た図である。
【符号の説明】
【００４０】
１    アイアンヘッド
２    複合アイアンヘッド
３ａ  フェース部
４    当接部
５    非当接部
８    開口部
９    フェースプレート
９ｂ  フェースプレートの裏面
２０  アイアンクラブセット
ｈ    ヘッド本体
ｋ    複合アイアンクラブ
【図１】
2005261459.tif 000008
【図２】
2005261459.tif 000009
【図３】
2005261459.tif 000010
【図４】
2005261459.tif 000011